(57)【特許請求の範囲】
【請求項１】
信号処理によって映像の階調を変調可能な信号処理手段を備え、
上記信号処理手段は、前記映像を視聴する環境の明るさが所定の明るさよりも大きい明るい環境下で視聴する場合には、画面周辺部の映像信号を画面中央部の映像信号に比べて高階調側に変調し、前記映像を視聴する環境の明るさが所定の明るさよりも小さい暗い環境下で視聴する場合には、画面周辺部の映像信号を画面中央部の映像信号に比べて低階調側に変調することにより、映像を実際に観察者が観察する表示画面において画面中央部と画面周辺部の映像の明るさが異なるように、画面中央部と画面周辺部で映像の変調量を異ならせることを特徴とする、映像表示装置。
【請求項２】
上記信号処理手段は、画面中央部に比べて画面周辺部の映像を大きく変調することを特徴とする、請求項１記載の映像表示装置。
【請求項３】
上記信号処理手段は、上記映像の変調量を映像信号に基づいて検出された映像の明るさに基づいて設定することを特徴とする、請求項１又は２に記載の映像表示装置。
【請求項４】
上記信号処理手段は、上記映像の変調量を画面内で略連続的に変化させることを特徴とする、請求項１〜３のいずれかの項に記載の映像表示装置。
【請求項５】
上記信号処理は、映像信号に所定の補正係数を乗算することにより行なわれることを特徴とする、請求項１〜４のいずれかの項に記載の映像表示装置。
【請求項６】
上記信号処理は、映像信号に所定のオフセットを加算又は減算することにより行なわれることを特徴とする、請求項１〜４のいずれかの項に記載の映像表示装置。
【請求項７】
上記信号処理は、映像信号にトーンカーブ変調を加えることにより行なわれることを特徴とする、請求項１〜４のいずれかの項に記載の映像表示装置。
【請求項８】
映像表示領域を構成するそれぞれの画素が、白表示用のドットを含む複数の異なる色相のドットからなり、
上記信号処理は、白表示用ドットの点灯数又は各白表示用ドットの階調を調節することにより行なわれることを特徴とする、請求項１〜４のいずれかの項に記載の映像表示装置。
【請求項９】
請求項１〜８のいずれかの項に記載の映像表示装置と、この映像表示装置で形成された映像を投射する投射レンズとを備えたことを特徴とする、投射型表示装置。
【発明の詳細な説明】
【技術分野】
【０００１】
本発明は、映像表示装置及び投射型表示装置に関し、特に映像の明るさ感を調節するための信号処理技術に関する。
【背景技術】
【０００２】
映像信号の補正技術としては、映像のダイナミックレンジを広げるための伸長処理技術（例えば特許文献１）や、明るさを補正するための輝度値補正技術（例えば特許文献２）等、様々なものが知られている。
【特許文献１】特開平１１−１８７２８４号公報
【特許文献２】特開２００３−１６２７１５号公報
【発明の開示】
【発明が解決しようとする課題】
【０００３】
しかしながら、信号処理の過度の適用は表示品質の劣化を招くことがある。
例えばプロジェクタを用いて映像を鑑賞する場合、映像の視認性を高める方法として、周囲の明るさに応じて映像信号を伸長する方法が考えられるが、この場合、伸長量が大きくなると、ハイライト部の白つぶれや色味の変化といった不自然さを視聴者に感じさせることがある。逆に暗い環境下では、映像が明るすぎることは反って映像の視認性を悪化させる要因となるため、信号強度を弱める必要があるが、信号強度を過度に低下させると、今度は黒つぶれなどの階調表現力の低下が生じ、やはり視聴者に違和感を与えることになる。
【０００４】
本発明は、上記の課題を解決するためになされたものであって、映像の印象を破綻させることなく映像の明るさ感を調節できるようにした、映像表示装置及び投射型表示装置を提供することを目的とする。
【課題を解決するための手段】
【０００５】
従来の信号補正技術は画面内の映像に対して均一な処理を施すものであった。例えば、映像情報に基づいて映像信号の補正量を決定する適応型の信号処理の場合、入力された映像信号に基づいて１画面全体で共通の補正レベルが決定される。しかし、映像の内容を見ると、多くの場合、映像を構成する構成員のうち主たるものは画面中央部に配置され、視聴者の視線も画面中心部に向けられている。つまり、同じように画面内に映し出された映像であっても、表示される位置によって視聴者に与える印象の度合いは異なる。
一方、住環境に関する最近の研究（例えば照明学会誌  第８７巻、第２号、ｐ．１０５〜ｐ．１１２）では、空間の明るさ感について、空間の周辺領域を明るくすることが空間全体の明るさ感の向上につながるとの報告がでている。
このような背景から、本発明者は、以下の着想を得た。
【０００６】
すなわち、上記の目的を達成するために、本発明の映像表示装置は、信号処理によって映像の階調を変調可能な信号処理手段を備え、上記信号処理手段は、前記映像を視聴する環境の明るさが所定の明るさよりも大きい明るい環境下で視聴する場合には、画面周辺部の映像信号を画面中央部の映像信号に比べて高階調側に変調し、前記映像を視聴する環境の明るさが所定の明るさよりも小さい暗い環境下で視聴する場合には、画面周辺部の映像信号を画面中央部の映像信号に比べて低階調側に変調することにより、映像を実際に観察者が観察する表示画面において画面中央部と画面周辺部の映像の明るさが異なるように、画面中央部と画面周辺部で映像の変調量を異ならせることを特徴とする。
本構成によれば、画面中央部では画質を優先し、画面周辺部では画質よりも明るさ調節に重きをおいて画像処理を行なうなど、画像処理にメリハリをつけることで、映像の明るさと映像の再現性の双方を最適に調節することができる。具体的には、画面中央部に比べて画面周辺部の映像を大きく変調することで、視聴者にとって主だった情報を高い再現性で表現するとともに、画面の明るさ感を簡単に調節することができる。この場合、画面全体としての映像の連続性を確保するために、上記信号処理手段は、上記映像の変調量を画面内で略連続的に変化させることが望ましい。
【０００７】
なお、上記信号処理手段は、上記映像の変調量を視聴環境の明るさに基づいて設定することが望ましい。
前述のように、映像は周囲の照明条件等によって見やすい明るさが異なる。例えば、明るい環境下ではより明るい表示が求められるが、暗い環境下では、映像が明るすぎることは反って視認性を悪化させる。このため、例えば映像を暗い環境下で視聴する場合には、画面周辺部の映像信号を低階調側に変調することで、映像の明るさ感を抑制することができる。逆に映像を明るい環境下で視聴する場合には、画面周辺部の映像信号を高階調側に変調することで、映像の明るさ感を増すことができる。また、このように画面周辺領域を明るくした場合には、画面外の領域との対比効果により、その境界線がより鮮明になるため、映像の存在感を高める効果も期待できる。
【０００８】
また、上記信号処理手段は、上記映像の変調量を映像信号に基づいて検出された映像の明るさに基づいて設定することが好ましい。
上述の信号処理を環境の明るさのみに基づいて行なった場合には、映像によっては色つぶれが生じる場合がある。特に画面周辺部の映像は画面中央部に比べて大きく変調されるため、このような色つぶれが顕在化する虞がある。このため、映像信号に基づいて映像の明るさを検出し、この映像の明るさ情報に基づいて、変調後の映像信号が概ね表示可能な階調範囲内に留まるように変調量を調節することで、画質の劣化を防止することができる。
【０００９】
また、上記信号処理手段は、上述の視聴環境の明るさや映像の明るさ以外に、使用者の好みに基づいて上記映像の変調量を設定することも可能である。この場合、コントローラ等の外部入力手段によって、使用者が画面周辺部と画面中央部の双方について変調量を入力することもできるし、一方の変調量を上述の方法（環境の明るさや映像の明るさに基づく制御）によって規定し、もう一方の変調量のみ使用者が入力することもできる。このようにすることで、使用者にとって最適な設定を行なうことができる。
【００１０】
ところで、上述の信号処理の具体的な形態としては、以下のものが挙げられる。
（ａ）映像信号に所定の補正係数を乗算する。
（ｂ）映像信号に所定のオフセットを加算又は減算する。
（ｃ）映像信号にトーンカーブ変調を加える。
（ｄ）映像表示領域を構成するそれぞれの画素が、白表示用のドットを含む複数の異なる色相のドットからなる場合において、白表示用ドットの点灯数又は各白表示用ドットの階調を調節する。
【００１１】
上記（ａ），（ｂ）の形態では、それぞれ補正係数，オフセットによって、画像処理の程度、即ち、映像の変調量が規定される。一方、（ｃ）の形態では、入力と出力の関係は必ずしも線形とはならず、映像の変調量は入力信号の階調レベルによって変化することがある。また、上記（ｄ）の形態では、白表示用ドットの点灯数又は白表示用ドットの階調によって画像処理の程度が規定される。
【００１２】
また、本発明の投射型表示装置は、上述の映像表示装置と、この映像表示装置で形成された映像を投射する投射レンズとを備えたことを特徴とする。
本構成によれば、再現性が高く視認性に優れた投射表示を実現することができる。
【発明を実施するための最良の形態】
【００１３】
［第１実施形態］
以下、図１〜図８を参照しながら本発明の第１の実施の形態について説明する。
図１は本発明の投射型表示装置の概略構成を示す図、図２はその駆動回路の構成を示すブロック図、図３〜図８はその駆動方法を説明するための図である。
本実施の形態の投射型表示装置は、Ｒ（赤）、Ｇ（緑）、Ｂ（青）の異なる色毎に透過型液晶ライトバルブを備えた３板式の投射型カラー液晶表示装置である。図１はこの投射型液晶表示装置を示す概略構成図であって、図中、符号１は照明装置、２は光源、３，４はフライアイレンズ（均一照明手段）、１３，１４はダイクロイックミラー、１５，１６，１７は反射ミラー、２２，２３，２４は液晶ライトバルブ（映像表示装置）、２５はクロスダイクロイックプリズム、２６は投射レンズ（投射手段）を示している。
【００１４】
本実施の形態における照明装置１は、光源２とフライアイレンズ３，４とから構成されている。光源２は高圧水銀ランプ等のランプ７とランプ７の光を反射するリフレクタ８とから構成されている。また、光源光の照度分布を被照明領域である液晶ライトバルブ２２，２３，２４において均一化させるための均一照明手段として、光源２側から第１のフライアイレンズ３、第２のフライアイレンズ４が順次設置されている。ここで、第１のフライアイレンズ３は複数の２次光源像を形成し、第２のフライアイレンズ４はライトバルブ位置においてそれらを重畳する重畳レンズとしての機能を有する。場合によっては２次光源像を重畳するためのコンデンサーレンズを第２のフライアイレンズ４の位置、もしくはその後段に配しても良い。以下では重畳レンズとして第２のフライアイレンズが用いられた場合について説明を行う。
【００１５】
照明装置１の後段の構成を以下、各構成要素の作用とともに説明する。
青色光・緑色光反射のダイクロイックミラー１３は、光源２からの光束のうちの赤色光ＬＲを透過させるとともに、青色光ＬＢと緑色光ＬＧとを反射させるものである。ダイクロイックミラー１３を透過した赤色光ＬＲは反射ミラー１７で反射されて赤色光用液晶ライトバルブ２２に入射される。一方、ダイクロイックミラー１３で反射した色光のうち、緑色光ＬＧは緑色光反射用のダイクロイックミラー１４によって反射され、緑色光用液晶ライトバルブ２３に入射される。一方、青色光ＬＢはダイクロイックミラー１４も透過し、リレーレンズ１８、反射ミラー１５、リレーレンズ１９、反射ミラー１６、リレーレンズ２０からなるリレー系２１を経て青色光用液晶ライトバルブ２４に入射される。
【００１６】
各液晶ライトバルブ２２，２３，２４によって変調された３つの色光は、クロスダイクロイックプリズム２５に入射される。このプリズムは４つの直角プリズムが貼り合わされ、その内面に赤色光を反射する誘電体多層膜と青色光を反射する誘電体多層膜とが十字状に形成されている。これらの誘電体多層膜によって３つの色光が合成されてカラー画像を表す光が形成される。合成された光は投射光学系である投射レンズ２６によりスクリーン２７上に投射され、拡大された画像が表示される。
【００１７】
次に、本実施の形態の投射型液晶表示装置３０の駆動方法について説明する。
図２は本実施の形態の投射型液晶表示装置３０の駆動回路の構成を示すブロック図である。
本実施の形態では、図２に示すように、アナログ信号として入力された映像信号はＡＤコンバータ３１を経てデジタル信号処理回路である信号処理部（信号処理手段）３２に入力される。信号処理部３２では、視聴環境の明るさに基づいて映像の変調量が決定され、この変調量に応じて映像信号が適当な階調範囲に変調される。ここで、信号処理の方法としては、以下の３種類が考えられる。
【００１８】
（ａ）映像信号に対して所定の補正係数を乗算する方法（図３（ａ））。
この方法は、入力信号の階調に対して出力信号の階調を線形に変化させる方法である。この方法では、補正係数が１より大きい場合（図中実線で示す）には、映像の階調範囲は高階調側に拡大され、映像は全体的に明るくなる。逆に補正係数が１より小さい場合（図中点線で示す）には、映像の階調範囲は低階調側に圧縮され、映像は全体的に暗くなる。
【００１９】
（ｂ）映像信号に対して所定のオフセットを加算又は減算する方法（図３（ｂ））。
この方法は、映像の階調レベルを全体的に底上げする方法である。この方法では、オフセットが正の場合（図中実線で示す）には、映像の階調範囲は高階調側にシフトし、映像は全体的に明るくなる。逆にオフセットが負の場合（図中点線で示す）には、映像の階調範囲は低階調側にシフトし、映像は全体的に暗くなる。
【００２０】
（ｃ）映像信号に対してトーンカーブ変調を加える方法（図３（ｃ））。
この方法は、入力信号の階調に対して出力信号の階調を非線形に変化させる方法である。ここで、「トーンカーブ」とは、入力信号の階調を横軸、出力信号の階調を縦軸にとったときの、入力に対する出力の階調変化を表わすカーブをいい、このトーンカーブに基づいた信号処理をトーンカーブ変調という。この方法では、例えば図中実線で示すように、トーンカーブが傾き４５°の直線（図中一点鎖線で示す）よりも上側に位置する場合（例えば、トーンカーブが、低階調側で傾きが急峻で且つ高階調側で傾きがなだらかな上凸の曲線である場合）には、映像の階調範囲は高階調側に拡大され、映像は全体的に明るくなる。逆に、図中点線で示すように、トーンカーブが傾き４５°の直線よりも下側に位置する場合（例えば、トーンカーブが、低階調側で傾きがなだらかで且つ高階調側で傾きが急峻な下凸の曲線である場合）には、映像の階調範囲は低階調側に圧縮され、映像は全体的に暗くなる。このトーンカーブ変調では、上記（ａ）の方法に比べて、映像の明るさやコントラストの調節をきめ細かく行なうことができる。
【００２１】
なお、上記（ａ），（ｂ）の形態では、それぞれ補正係数，オフセットによって、画像処理の程度、即ち、映像の変調量が規定される。一方、（ｃ）の形態では、入力と出力の関係は必ずしも線形とはならず、映像の変調量は入力信号の階調レベルによって変化することがある。
また、本実施形態では、信号処理の方法として上記（ａ）の方法を用いた場合について説明する。
【００２２】
信号処理後の映像信号はＤＡコンバータ３７により再びアナログ信号に変換された後、パネルドライバ３８に入力され、パネルドライバ３８から赤色光用液晶ライトバルブ２２（図２中のＲパネル）、緑色光用液晶ライトバルブ２３（同、Ｇパネル）、青色光用液晶ライトバルブ２４（同、Ｂパネル）のそれぞれに供給される。
【００２３】
ここで、映像の変調量の決定方法としては、信号処理が映像情報に基づくか否かによって、[１]表示映像非適応型、[２]表示映像適応型の２つの方法が考えられる。以下、それぞれの方法について説明する。
［１］表示映像非適応型の制御
まず、非適応型の制御、すなわち映像情報に依らずに、環境の明るさのみによって映像の明るさ感を制御する場合について考える。
この場合、信号処理部３２では、まず、図４に示すような２種類の補正レベル曲線Ａ１，Ａ２（直線を含む）を用いて画面中心部と画面端部の映像の補正レベル（補正係数）ａ１，ａ２が独立に設定される。この補正レベル曲線は、光センサ等（図示略）により検出された視聴環境の明るさＬと映像の補正係数ａとの関係を規定したものである。これらの曲線Ａ１，Ａ２では、視聴環境が明るくなる（即ち、Ｌが大きくなる）に従って補正係数ａが大きくなるように規定されている。また、曲線Ａ１，Ａ２の傾斜は異なり、曲線Ａ１は曲線Ａ２よりも傾斜の緩やかな曲線とされている。
【００２４】
このように画面中心部と画面端部の補正係数ａ１，ａ２が設定されると、信号処理部３２では、これらの中間に位置する映像領域の補正係数が上記ａ１，ａ２の中間の値として設定される。この際、補正係数は画面中心部から画面端部にかけて略連続的に変化するように設定される。また、画面中央部（例えば画面中心部から画面端部までの距離をＤとしたときに、画面中心部からの距離がＤ／２程度の範囲）の映像領域において、空間位置の移動による補正係数の変化が略ゼロとなり、その周辺に位置する画面周辺部の映像領域において補正係数が大きく変化するように係数の値が調節される。
【００２５】
図５，図６に、映像の表示位置と映像の補正係数との関係を示す。なお、図５は明るい環境下で映像を視聴する場合（図４において明るさＬがＬ０よりも大きい場合）、図６は暗い環境下で映像を視聴する場合（図４において明るさＬがＬ０よりも小さい場合）における両者の関係を示している。
【００２６】
［２］表示映像適応型の制御
次に、適応型の制御、すなわちハイライト部の白つぶれ及び暗部の黒つぶれの発生を未然に防ぐように映像信号に適応した明るさ制御を行う場合について考える。
この場合、信号処理部３２では、まず、画面中心部の映像の補正係数ａ１が視聴環境の明るさに基づいて設定される。具体的には、補正係数ａ１は図４の補正レベル曲線Ａ１と同様の曲線を用いて設定される。また、画面端部の映像の補正係数ａ２が、映像の明るさ及び視聴環境の明るさに基づいて設定される。ここで、映像の明るさを検出する方法としては、例えば次の２通りが考えられる。
【００２７】
（ａ）注目しているフレームに含まれている画素データのうち、明るさが最大の階調数を映像の明るさとする方法。
例えば０〜２５５の２５６ステップの階調数を含む映像信号を想定する。連続した映像を構成する任意の１フレームに着目した場合、そのフレームに含まれる画素データの階調数毎の出現数分布（ヒストグラム）が、図７（ａ）のようになったとする。この図の場合、ヒストグラムに含まれる最も明るい階調数が１９０であるので、この階調数１９０を映像の明るさとして検出する。この方法は、入力される映像信号に対し、最も忠実に明るさを検出できる方法である。
【００２８】
（ｂ）注目しているフレームに含まれている階調数毎の出現数分布（ヒストグラム）より、最大の明るさから出現数について一定の割合（例えば１０％）となる階調数を映像の明るさとする方法。
例えば映像信号の出現数分布が図７（ｂ）のようであった場合、ヒストグラムより明るい側から１０％の領域をとる。１０％に相当するところの階調数が２３０であったとすると、この階調数２３０を映像の明るさとする。図７（ｂ）に示したヒストグラムのように、階調数２５５の近傍に突発的なピークがあった場合、上記（ａ）の方法を採用すれば、階調数２５５が映像の明るさとなる。しかしながら、この突発的なピーク部分は画面全体における情報としてはあまり意味をなしていない。これに対して、階調数２３０を映像の明るさとする本方法は、画面全体の中で情報として意味を持つ領域によって判定する方法と言うことができる。なお、上記の割合は２〜５０％程度の範囲で変化させてもよい。
【００２９】
このようにして検出された映像の明るさをＬＰとすると、この映像の明るさに基づいて画面中心部の映像の補正係数ａ１及び画面端部の映像の補正係数ａ２が設定される。ここでは、環境の明るさＬに応じて設定方法が２通りに分かれる。
例えば、明るい環境下で映像を視聴する場合（図４において明るさＬがＬ０よりも大きい場合）には、
ａ１  ＝  ２５５／ＬＰ
ａ２  ＝  ｂ＊２５５／ＬＰ    （ただしｂ＞１）
のように補正係数が設定される。このとき、ＬＰは図８（ａ）に示したように下限値Ｉを設定し、ＬＰ≧Ｉとすると、過度の伸長処理によって映像が不自然な見え方になることを回避することができる。
逆に暗い環境下で映像を視聴する場合（図４において明るさＬがＬ０よりも小さい場合）には、画面端部の補正係数を画面中央部の補正係数ａ１よりも小さい範囲の値とする。具体的には、
ａ１  ＝  Ｉ／ＬＰ
ａ２  ＝  ｂ＊Ｉ／ＬＰ    （ただしｂ＜１）
ここで、Ｉは図８（ｂ）に示したように階調補正を行う映像の明るさの下限値であり、過度の補正による映像の黒つぶれを回避することができる。
【００３０】
このように画面中心部と画面端部の補正係数ａ１，ａ２が設定されると、信号処理部３２では、これらの中間に位置する映像領域の補正係数が上記ａ１，ａ２の中間の値として設定される。この際、補正係数は画面中心部から画面端部にかけて略連続的に変化するように設定される。また、画面中央部の映像領域において、空間位置の移動による補正係数の変化が略ゼロとなり、画面周辺部の映像領域において補正係数が大きく変化するように係数の値が調節される。
このように映像の明るさ情報に基づいて画像処理を行なうことで、画面周辺部の色つぶれを極力回避することができる。
【００３１】
[３]外部からの制御
使用者が好みに応じて画面中央部及び画面周辺部の映像の補正係数を制御できるようにする。この場合、使用者が、コントローラ等の外部入力手段を用いて補正係数の値を直接数値によって指定する構成としてもよいし、補正係数の値をいくつかの選択肢の中から選択する構成としてもよい。この際、画面中心部部及び画面端部の双方について変調量を入力することもできるし、これらの内のいずれか一方を上記［１］，［２］の方法によって規定し、もう一方を使用者が入力するようにしてもよい。
このように使用者が明るさの微調節を行なえるようにすることで、使用者にとって最適な設定を行なうことができる。
【００３２】
このように本実施形態では、画面中央部と画面周辺部で画像処理の程度を異ならせ、映像の明るさを主に画面周辺部の映像の階調変化によって調節しているため、視聴者にとって主だった情報を高い再現性で表現することができる。
また、本実施形態では、画面中心部から画面端部にかけて映像の補正係数を略連続的に変化させているため、画面内における映像の連続性が損なわれることはない。
【００３３】
［第２実施形態］
次に、図９〜図１２を参照しながら本発明の第２の実施形態について説明する。
図９は、本発明の映像表示装置の概略構成を示す図、図１０はその１画素の構成を拡大して示す図であって、（ａ）はその断面図、（ｂ）はその平面図である。また、図１１はその駆動回路の要部構成を示すブロック図、図１２はその駆動方法を説明するための図である。なお、本実施形態では図４を流用する。
【００３４】
本実施形態の映像表示装置は、一方の基板にカラーフィルタアレイを備えたカラー液晶表示装置である。本液晶表示装置５０は、ＴＦＴアレイ基板４０と、対向基板４４と、基板４０，４４の間に保持される光変調層としての液晶層４３とを備えている。
ＴＦＴアレイ基板４０の上には、ＩＴＯ等からなる画素電極４１がマトリクス状に複数配列形成されている。本実施形態では、後述のＲ（赤色），Ｇ（緑色），Ｂ（青色），Ｗ（白色）の各色のカラーフィルタに対応して、１画素Ｐ内に４つの画素電極４１、即ち、赤色用画素電極４１ｒ，緑色用画素電極４１ｇ，青色用画素電極４１ｂ，白色用画素電極４１ｗが並置されている。すなわち、本実施形態では、１画素ＰはＲ，Ｇ，Ｂ，Ｗの４ドットで構成されている。そして、基板４０の上には、これらの画素電極４１（４１ｒ，４１ｇ，４１ｂ，４１ｗ）を覆うようにポリイミド等からなる配向膜４２が設けられている。なお、図９，図１０では画素電極４１の通電制御を行なうためのスイッチング素子や走査線，信号線等の図示を省略している。
【００３５】
対向基板４４はカラーフィルタアレイ基板として構成されており、この基板４４にはＲ，Ｇ，Ｂ，Ｗの４種類のカラーフィルタ４５（４５ｒ，４５ｇ，４５ｂ，４５ｗ）が並置されている。そして、基板４４上にはこのカラーフィルタ４５を覆うように、ＩＴＯ等からなる共通電極３８が全面に設けられ、更にこの共通電極３８を覆うようにポリイミド等からなる配向膜３９が設けられている。
【００３６】
次に、図１１を用いて本実施形態の液晶表示装置５０の駆動方法について説明する。
本実施形態では、アナログ信号として入力された映像信号は、ＡＤコンバータ（図示略）を経てデジタル信号処理回路である信号処理部（信号処理手段）６０に入力される。信号処理部６０では、視聴環境の明るさに基づいて映像の変調量が決定され、この変調量に応じて映像信号が適当な階調範囲に変調される。
本実施形態では、より簡便に映像の明るさ感を制御するために、Ｒ、Ｇ，Ｂ，Ｗの全ドットの映像信号を変調するのではなく、Ｗドットの映像信号のみを変調する。ここで、映像の変調量の決定方法としては、上記第１実施形態と同様に、表示映像非適応型の方法と、表示映像適応型の方法の２通りが考えられるが、本実施形態では前者、即ち、表示映像非適応型の場合について説明する。
【００３７】
本実施形態では、白画像の変調量を求める際に、上記第１実施形態と同様の手法を用いる。つまり、信号処理部６０は、まず、図４に示すような２種類の補正レベル曲線Ａ１，Ａ２を用いて画面中心部と画面端部の白画像の補正係数ａ１，ａ２を独立に求める。そして、これらの中間に位置する映像領域の補正係数をこれらの補正係数ａ１，ａ２の中間の値として設定する。この際、補正係数は画面中心部から画面端部にかけて略連続的に変化するように設定する。また、画面中央部の映像領域において、空間位置の移動による補正係数の変化が略ゼロとなり、その周辺に位置する画面周辺部の映像領域において補正係数が大きく変化するように係数の値を調節する。
図１２に映像の表示位置と白画像の階調数との関係を示す。なお、図１２は、明るい環境下で映像を視聴する場合（図４において明るさＬがＬ０よりも大きい場合）における両者の関係を示している。
【００３８】
そして、このように変調されたＷドットの映像信号は、ＤＡコンバータ（図示略）により再びアナログ信号に変換された後、パネルドライバ６１に入力され、パネルドライバ６１からＷドットに供給される。なお、Ｒ，Ｇ，Ｂの各ドットの映像信号は環境の明るさによって変調されることはない。
このように本実施形態では、Ｗドットの映像の変調量を画面中央部と画面周辺部とで異ならせ、映像の明るさを主に画面周辺部のＷドットの階調変化によって調節しているため、視聴者にとって主だった情報を高い再現性で表現することができる。また、本実施形態では、画面中心部から画面端部にかけて映像の補正係数を略連続的に変化させているため、画面内における映像の連続性が損なわれることはない。
【００３９】
なお、本実施形態では、映像の明るさ調節を各Ｗドットの階調調節によって行なったが、この代わりに、Ｗドットの点灯数（Ｗドットの挿入量）を調節することで、明るさ調節を行なってもよい。この場合、画面中央部と画面周辺部とでこのＷドットの点灯数を異ならせる。この際、Ｗドットの点灯数を画面中心部から画面端部にかけて略連続的に変化させることで、映像の連続性を確保することができる。
【００４０】
なお、本発明は上述の実施形態に限定されるものではなく、本発明の趣旨を逸脱しない範囲で種々変形して実施することができる。
例えば、上記第１実施形態では、投射型表示装置として、透過型の液晶ライトバルブを用いた例を示した。しかし、本発明の技術的範囲はこのような透過型のものに限定されず、例えばＬＣＯＳ等の反射型の投射型表示装置、或いはＭＥＭＳ技術に基づくミラー方式の空間光変調装置を用いた投射型表示装置に対して本発明を適用することも可能である。
同様に、上記第２実施形態では、映像表示装置として液晶表示装置を例に挙げたが、本発明はこれに限らず、エレクトロルミネッセンス表示装置等の自発光型の表示デバイスや電気泳動表示装置等の反射型の表示装置等に適用することも可能である。また、上記第２実施形態に示した画素構造はほんの一例であり、本発明では、映像表示領域を構成する画素が白表示用のドット（Ｗドット）を含む複数の異なる色相のドットからなればよく、このようなＷドットを含む構成であれば上述の４ドットの構成に限られない。
【図面の簡単な説明】
【００４１】
【図１】本発明の第１実施形態に係る投射型表示装置の概略構成を示す図。
【図２】同、投射型表示装置の駆動回路の構成を示すブロック図。
【図３】同、投射型表示装置の駆動方法を説明するための図。
【図４】同、投射型表示装置の駆動方法を説明するための図。
【図５】同、投射型表示装置の駆動方法を説明するための図。
【図６】同、投射型表示装置の駆動方法を説明するための図。
【図７】同、投射型表示装置の駆動方法を説明するための図。
【図８】同、投射型表示装置の駆動方法を説明するための図。
【図９】本発明の第２実施形態に係る映像表示装置の概略構成を示す断面図。
【図１０】同、映像表示装置の要部を拡大して示す図。
【図１１】同、映像表示装置の駆動回路の構成を示すブロック図。
【図１２】同、映像表示装置の駆動方法を説明するための図。
【符号の説明】
【００４２】
２２，２３，２４・・・液晶ライトバルブ（映像表示装置）、２６・・・投射レンズ、３０・・・投射型表示装置、３２，６０・・・信号処理部（信号処理手段）、５０・・・映像表示装置
【図１】
0004776875.tif 000002
【図２】
0004776875.tif 000003
【図３】
0004776875.tif 000004
【図４】
0004776875.tif 000005
【図５】
0004776875.tif 000006
【図６】
0004776875.tif 000007
【図７】
0004776875.tif 000008
【図８】
0004776875.tif 000009
【図９】
0004776875.tif 000010
【図１０】
0004776875.tif 000011
【図１１】
0004776875.tif 000012
【図１２】
0004776875.tif 000013